(57)【要約】【課題】絵文字や顔文字の入力を好適に行うことができる携帯電子機器を提供すること。【解決手段】選択キー５７が長押しされた場合、制御部は、未確定文字列に対応する絵文字を選択可能に表示する予約文字表示領域５９を変換候補表示領域５２の下側に表示させ、この予約文字表示領域５９に未確定文字列「楽しかった」に対応する絵文字６０を表示させる。また、選択キー５７が短押しされた場合、制御部は、選択された絵文字５４を確定された表示文字列「楽しかった」の直後に挿入するように制御する。【選択図】図３
2010079782.tif 000002
【特許請求の範囲】
【請求項１】
入力部と、
前記入力部により入力される文字列を未確定文字列として順次記憶する記憶部と、
前記未確定文字列に対応する１又は複数の変換候補文字列を表示する第１表示領域と、前記未確定文字列に対応する特殊記号を選択可能に表示する第２表示領域とを有する表示部と、
前記入力部、前記記憶部、及び前記表示部を制御する制御部と備え、
前記制御部は、前記未確定文字列が前記表示部に表示される表示文字列として確定されたときに、前記第２表示領域に表示され、前記入力部により選択された前記特殊記号を、当該確定された前記表示文字列の直後に挿入するように制御することを特徴とする携帯電子機器。
【請求項２】
前記制御部は、前記第２表示領域に表示された前記特殊記号が前記入力部による第１の入力態様で選択された場合、当該選択された前記特殊記号を確定された前記表示文字列の直後に挿入し、前記第２表示領域に表示された前記特殊記号が前記入力部による第２の入力態様で選択された場合、当該選択された前記特殊記号を所定の入力に応じて前記表示文字列の任意の位置に挿入するために一時的に前記記憶部に記憶するように制御することを特徴とする請求項１に記載の携帯電子機器。
【請求項３】
前記制御部は、前記第２表示領域に表示された前記特殊記号のうち前記入力部によって選択される前記特殊記号に応じて前記第１表示領域における前記変換候補文字列の表示順序を変更するように制御することを特徴とする請求項１又は２に記載の携帯電子機器。
【発明の詳細な説明】
【技術分野】
【０００１】
本発明は、携帯電話機等の携帯電子機器に関する。
【背景技術】
【０００２】
近年、メール送受信機能を備えた携帯電話機等の携帯電子機器によって文書データを送信することが一般的となっている。このような携帯電子機器は、キー配置のスペース上の制約等から、パーソナルコンピュータ等の電子機器と比較して、文字変換機能や文字装飾機能等の文書作成機能が制限される。このため、多種の絵文字や顔文字を採用して、複数の文字を必要とする表現を単一の絵文字で表現できるようにし、絵文字や顔文字が挿入された文書の作成及び送受信を可能としている。
【０００３】
このような携帯電子機器で絵文字や顔文字を含む文書を作成する場合において、絵文字や顔文字の入力を支援する機能として、例えば入力する直前の文字列をキーワードにして絵文字や顔文字を入力候補として表示する技術が提案されている（特許文献１参照）。
【特許文献１】特開２００８−１２９６８７号公報
【発明の開示】
【発明が解決しようとする課題】
【０００４】
しかしながら特許文献１の技術では、絵文字や顔文字は入力候補として常に表示されないため、ユーザは絵文字や顔文字を入力するために、例えば多数の絵文字や顔文字のリストから所望の絵文字や顔文字を選択する必要があり、絵文字や顔文字の入力が煩わしくなるという問題がある。
【０００５】
また、直前の文字列に対応する絵文字や顔文字は、一時的に入力候補として優先的に表示されるだけであり、直前の文字列に対応する絵文字や顔文字を文書中に挿入した後、この絵文字や顔文字を再度文書中に挿入したい場合であっても、入力候補としては表示されないという問題がある。
【０００６】
そこで、本発明は、絵文字や顔文字の入力を好適に行うことができる携帯電子機器を提供する。
【課題を解決するための手段】
【０００７】
本発明に係る携帯電子機器は、上記課題を解決するために、入力部と、前記入力部により入力される文字列を未確定文字列として順次記憶する記憶部と、前記未確定文字列に対応する１又は複数の変換候補文字列を表示する第１表示領域と、前記未確定文字列に対応する特殊記号を選択可能に表示する第２表示領域とを有する表示部と、前記入力部、前記記憶部、及び前記表示部を制御する制御部と備え、前記制御部は、前記未確定文字列が前記表示部に表示される表示文字列として確定されたときに、前記第２表示領域に表示され、前記入力部により選択された前記特殊記号を、当該確定された前記表示文字列の直後に挿入するように制御することを特徴とする。
【０００８】
また、前記制御部は、前記第２表示領域に表示された前記特殊記号が前記入力部による第１の入力態様で選択された場合、当該選択された前記特殊記号を確定された前記表示文字列の直後に挿入し、前記第２表示領域に表示された前記特殊記号が前記入力部による第２の入力態様で選択された場合、当該選択された前記特殊記号を所定の入力に応じて前記表示文字列の任意の位置に挿入するために一時的に前記記憶部に記憶するように制御することが好ましい。
【０００９】
また、前記制御部は、前記第２表示領域に表示された前記特殊記号のうち前記入力部によって選択される前記特殊記号に応じて前記第１表示領域における前記変換候補文字列の表示順序を変更するように制御することが好ましい。
【発明の効果】
【００１０】
本発明によれば、絵文字や顔文字の入力を好適に行うことができる携帯電子機器を提供することができる。
【発明を実施するための最良の形態】
【００１１】
以下、本発明の実施の形態について説明する。図１は、本発明に係る携帯電子機器の一例である携帯電話機１の外観斜視図を示す。なお、図１は、いわゆる折り畳み型の携帯電話機の形態を示しているが、本発明に係る携帯電話機の形態としては特にこれに限られない。例えば、両筐体を重ね合わせた状態から一方の筐体を一方向にスライドさせるようにしたスライド式や、重ね合せ方向に沿う軸線を中心に一方の筐体を回転させるようにした回転式（ターンタイプ）や、操作部と表示部とが一つの筐体に配置され、連結部を有さない形式（ストレートタイプ）でもよい。
【００１２】
携帯電話機１は、操作部側筐体部２と、表示部側筐体部３と、を備えて構成される。操作部側筐体部２は、表面部に、操作部１１と、携帯電話機１の使用者が通話時に発した音声が入力されるマイク１２と、を備える。操作部１１は、各種設定や電話帳機能やメール機能等の各種機能を作動させるための機能設定操作キー１３と、電話番号の数字やメール等の文字等を入力するための入力操作キー１４と、各種操作における決定やスクロール等を行う決定操作キー１５と、から構成されている。
【００１３】
また、表示部側筐体部３は、表面部に、各種情報を表示するためのＬＣＤ（Ｌｉｑｕｉｄ  Ｃｒｙｓｔａｌ  Ｄｉｓｐｌａｙ）表示部２１と、通話の相手側の音声を出力するスピーカ２２と、を備える。
【００１４】
また、操作部側筐体部２の上端部と表示部側筐体部３の下端部とは、ヒンジ機構４を介して連結されている。また、携帯電話機１は、ヒンジ機構４を介して連結された操作部側筐体部２と表示部側筐体部３とを相対的に回転することにより、操作部側筐体部２と表示部側筐体部３とが互いに開いた状態（開放状態）にしたり、操作部側筐体部２と表示部側筐体部３とを折り畳んだ状態（折畳み状態）にしたりできる。
【００１５】
また、操作部側筐体部２は、外平面部に、時計やメールの着信等が表示されるサブＬＣＤ表示部３０が備えられている。
【００１６】
図２は、携帯電話機１の機能を示す機能ブロック図である。携帯電話機１は、図２に示すように、操作部１１（入力部）と、マイク１２と、メインアンテナ４０と、ＲＦ回路部４１と、ＬＣＤ制御部４２と、音声処理部４３と、メモリ４４（記憶部）と、制御部４５と、が操作部側筐体部２に備えられ、ＬＣＤ表示部２１（表示部）と、スピーカ２２と、ドライバＩＣ２３と、サブＬＣＤ表示部３０とが表示部側筐体部３に備えられている。
【００１７】
メインアンテナ４０は、第１の使用周波数帯（例えば、８００ＭＨｚ）で基地局等と通信を行い、ＧＰＳ通信のための第２の使用周波数帯（例えば、１．５ＧＨｚ）に対応できるデュアルバンド対応構成である。なお、本実施の形態では、第１の使用周波数帯として、８００ＭＨｚとしたが、これ以外の周波数帯であってもよい。また、メインアンテナ４０は、第１の使用周波数帯で外部装置と通信を行い、ＧＰＳ通信のための第２の使用周波数帯に対応できるアンテナを別途設けてもよい。
【００１８】
ＲＦ回路部４１は、メインアンテナ４０によって受信した信号を復調処理し、処理後の信号を制御部４５に供給する。そして、制御部４５から供給された信号を変調処理し、メインアンテナ４０を介して外部装置（基地局）に送信する。また、その一方で、メインアンテナ４０によって受信している信号の強度を制御部４５に通知を行う。
【００１９】
ＬＣＤ制御部４２は、制御部４５の制御にしたがって、所定の画像処理を行い、処理後の画像データをドライバＩＣ２３に出力する。ドライバＩＣ２３は、ＬＣＤ制御部４２から供給された画像データをフレームメモリに蓄え、所定のタイミングでＬＣＤ表示部２１又はサブＬＣＤ表示部３０に出力する。
【００２０】
音声処理部４３は、制御部４５の制御にしたがって、ＲＦ回路部４１から供給された信号に対して所定の音声処理を行い、処理後の信号をスピーカ２２に出力する。スピーカ２２は、音声処理部４３から供給された信号を外部に出力する。
【００２１】
また、音声処理部４３は、制御部４５の制御にしたがって、マイク１２から入力された信号を処理し、処理後の信号をＲＦ回路部４１に出力する。ＲＦ回路部４１は、音声処理部４３から供給された信号に所定の処理を行い、処理後の信号をメインアンテナ４０に出力する。
【００２２】
メモリ４４は、例えば、ワーキングメモリを含み、制御部４５による演算処理に利用される。また、メモリ４４には、複数のアプリケーションや当該アプリケーションが必要とする各種のテーブルや各種情報等が記憶されている。また、メモリ４４は、着脱可能な外部メモリを兼ねていてもよい。
【００２３】
制御部４５は、携帯電話機１の全体を制御しており、中央処理装置（ＣＰＵ）等を用いて構成される。本実施形態では、特に、制御部４５による操作部１１、メモリ４４、及びＬＣＤ表示部２１の制御について説明する。
【００２４】
ここで、ＬＣＤ表示部２１に表示される文字入力画面における制御部４５の制御動作について図３から図５を参照して説明する。また、本実施形態では、絵文字や顔文字等を総称して特殊記号といい、以下に説明する実施形態では、特殊記号の一例として、絵文字及び顔文字を用いて説明する。
【００２５】
図３から図５は、本実施形態の携帯電話機１のＬＣＤ表示部２１に表示される電子メール作成画面の一例を示す図である。
【００２６】
図３（ａ）では、メール作成画面は、メール本文５０と、カーソル５１と、変換候補表示領域５２（第１表示領域）と、ソフトキー５３とから構成されている。そして、メール本文５０中の未確定文字列「楽しかった」がカーソル５１によって選択され、選択された文字列に対応する変換候補として複数の絵文字が変換候補表示領域５２に表示されている。
【００２７】
このとき、制御部４５は、操作部１１により入力され、カーソル５１によって選択されている未確定文字列「楽しかった」をメモリ４４に順次記憶させる。ここで、変換候補表示領域５２には、未確定文字列に対応する少なくとも１つ以上の変換候補文字列を表示することができるものとする。
【００２８】
次に図３（ｂ）は、図３（ａ）において操作部１１が操作されることにより、複数の変換候補から絵文字５４が選択されている状態でのメール作成画面を示している。このとき、変換候補表示領域５２の絵文字５４が選択されるため、図３（ａ）では未確定文字列であった文字列「楽しかった」が確定されて確定文字列となる。
【００２９】
そして、制御部４５は、図３（ａ）において表示されていたソフトキー５３とは異なるソフトキー５５を表示するように制御する。ソフトキー５５は、方向キー５６及び５８と、選択キー５７とから構成される。ここで、本実施形態において各々のソフトキーは、操作部１１の任意のキーと対応しており、操作部１１の任意のキーを押下することで、各々のソフトキーを選択することができるように設定される。
【００３０】
図３（ｃ）は、図３（ｂ）において選択キー５７が長押しされた場合、すなわち選択キー５７に対応する操作部１１の任意のキーが長押しされた場合のメール作成画面を示している。
【００３１】
図３（ｃ）に示すように、図３（ｂ）において選択キー５７が長押しされた場合、制御部４５は、選択された絵文字６０を所定の入力に応じてメール本文５０の表示文字列内の任意の位置に挿入するために一時的にメモリ４４に記憶するように制御する。
【００３２】
このとき、制御部４５は、未確定文字列に対応する絵文字を選択可能に表示する予約文字表示領域５９（第２表示領域）を変換候補表示領域５２の下側に表示させ、この予約文字表示領域５９に未確定文字列「楽しかった」に対応する絵文字６０を表示させる。
【００３３】
このように本実施形態の携帯電話機１によれば、未確定文字列に対応する絵文字を予約文字表示領域５９に表示させる。したがって、携帯電話機１のユーザは、この未確定文字列に対応する絵文字を再度入力する際や、未確定文字列に対応しない文字列中に絵文字を入力する際に、再度絵文字に対応する文字列を入力することなく、所望の絵文字を挿入することができる。
【００３４】
図３（ｄ）は、図３（ｂ）において選択キー５７が短押しされた場合、すなわち選択キー５７に対応する操作部１１の任意のキーが短押しされた場合のメール作成画面を示している。
【００３５】
図３（ｄ）に示すように、図３（ｂ）において選択キー５７が短押しされた場合、制御部４５は、選択された絵文字５４を確定された表示文字列「楽しかった」の直後に挿入するように制御する。
【００３６】
このように本実施形態の携帯電話機１によれば、未確定文字列に対応する絵文字をメール本文５０中に入力させることができる。
【００３７】
次に図４を参照しながら予約文字表示領域５９に表示される絵文字６０をメール本文５０に挿入する際の制御部４５の動作について説明する。図４（ａ）は、上述した図３（ｃ）と同様の表示画面であり、予約文字表示領域５９に絵文字６０が表示された状態を示している。
【００３８】
図４（ａ）からメール本文５０の文字列「楽しかった」の直後にカーソル６１を移動した場合、図４（ｂ）に示すように、制御部４５は、ソフトキー６２を表示させる。ソフトキー６２は、キャンセルキー６３と、予約文字入力キー６４と、メニューキー６５とから構成される。
【００３９】
そして、図４（ｂ）において予約文字入力キー６４を選択した場合、図４（ｃ）に示すように、制御部４５は、文字列「楽しかった」の直後に予約文字表示領域５９に表示されている絵文字６０を挿入するように制御する。
【００４０】
また、図４（ａ）からメール本文５０の文字列「今日はとても疲れた」の直後にカーソル６１を移動した場合、図４（ｄ）に示すように、制御部４５は、ソフトキー６２を表示させる。
【００４１】
そして、図４（ｄ）において予約文字入力キー６４を選択した場合、図４（ｅ）に示すように、制御部４５は、文字列「今日はとても疲れた」の直後に予約文字表示領域５９に表示されている絵文字６０を挿入するように制御する。
【００４２】
このように本実施形態の携帯電話機１によれば、予約文字表示領域５９に表示される絵文字をメール本文５０中の任意の位置に挿入して表示するように制御する。したがって、一旦予約文字表示領域５９に表示された絵文字は、表示画面から消えることなく、予約文字表示領域５９に継続して表示されるため、携帯電話機１のユーザは、再度絵文字に対応する文字列を入力することなく、ユーザが所望する任意の位置に複数回挿入することができる。
【００４３】
次に、図５を参照しながら、制御部４５によって予約文字表示領域５９に表示される特殊記号に応じて変換候補の文字列の表示順序を変更する動作について説明する。
【００４４】
図５（ａ）に示すように、メール本文５０において文字列「ありが」を入力した場合、制御部４５は、特殊記号の変換候補を表示する変換候補表示領域５２と共に、この文字列「ありが」に対応する単語の変換候補を表示する変換候補表示領域７０に単語の変換候補「ありがとう」、「蟻が」を表示するように制御する。
【００４５】
そして、カーソルを変換候補表示領域５２の絵文字５４に移動した後（図５（ｂ））、選択キー５７が長押しされることにより絵文字７９が選択された場合（図５（ｃ））、制御部４５は、選択された絵文字７９を予約文字表示領域５９に表示するように制御する。
【００４６】
このとき、制御部４５は、選択された絵文字７９が「蟻」に対応する絵文字であるため、変換候補表示領域７０に表示される変換候補の表示順序が図５（ａ）では、「ありがとう」、「蟻が」の順であったのに対して、図５（ｃ）では、「蟻が」、「ありがとう」の順に変更するように制御する。
【００４７】
このため、携帯電話機１のユーザは「蟻」の絵文字に対応する単語「蟻」を変換候補として優先的に用いることができる。
【００４８】
また、カーソルを変換候補表示領域５２の顔文字８０に移動した後（図５（ｄ））、選択キー５７が長押しされることにより顔文字８０が選択された場合（図５（ｅ））、制御部４５は、選択された顔文字８０を予約文字表示領域５９に表示するように制御する。
【００４９】
このとき、制御部４５は、選択された顔文字８０が「ありがとう」に対応する顔文字であるため、変換候補表示領域７０に表示される変換候補の表示順序が図５（ａ）では、「ありがとう」、「蟻が」の順であったのと同様に図５（ｅ）では「ありがとう」、「蟻が」の順を維持するように制御する。
【００５０】
このため、携帯電話機１のユーザは「ありがとう」の顔文字に対応する単語「ありがとう」を変換候補として優先的に用いることができる。
【００５１】
このように本実施形態の携帯電話機１によれば、予約文字表示領域５９に表示された特殊記号としての絵文字や顔文字に応じて、単語の変換候補の表示順序を変更することができる。したがって、携帯電話機１のユーザは、絵文字や顔文字の入力だけでなく、絵文字や顔文字に対応する単語の入力操作も好適に行うことができる。
【００５２】
ここで、制御部４５により予約文字表示領域５９へ絵文字を表示する制御の手順について図６に示すフローチャートを参照しながら説明する。
【００５３】
ステップＳ１において、制御部４５は、操作部１１による操作に応じて、絵文字を表示する変換候補表示領域５２にカーソルを移動させるように制御する。
【００５４】
ステップＳ２において、制御部４５は、ソフトキー５５をＬＣＤ表示部２１の所定の表示位置に表示するように制御する。
【００５５】
ステップＳ３において、制御部４５は、選択キー５７に対応する操作部１１の任意のキーが押下されることにより選択キー５７が選択されたことを検知する。
【００５６】
ステップＳ４において、制御部４５は、ステップＳ３において選択キー５７に対応する操作部１１の任意のキーが押下されたとき、任意のキーの押下が長押しであるか短押しであるか判定する。すなわち、選択キー５７の押下されている時間が一定時間以上であるか否か判定する。選択キー５７の押下が長押しである場合（Ｙｅｓ）には、ステップＳ５へ移る。一方、選択キー５７の押下が短押しである場合（Ｎｏ）には、ステップＳ６へ移る。
【００５７】
ステップＳ５において、制御部４５は、ステップＳ４において選択キー５７を長押しすることで選択された絵文字５４を、所定の入力に応じてメール本文５０の表示文字列内の任意の位置に挿入するために一時的にメモリ４４に記憶するように制御する。
【００５８】
ステップＳ６において、制御部４５は、ステップＳ５において記憶するように制御された絵文字６０を表示する予約文字表示領域５９を変換候補表示領域５２の下側に表示させ、一連の処理を終了する。
【００５９】
ステップＳ７において、制御部４５は、ステップＳ４において選択キー５７を短押しすることで選択された絵文字５４を確定された表示文字列の直後に挿入するように制御し、一連の処理を終了する。
【００６０】
次に、制御部４５により予約文字表示領域５９に表示された絵文字をメール本文５０中に挿入する制御の手順について図７に示すフローチャートを参照しながら説明する。
【００６１】
ステップＳ１１において、制御部４５は、ステップＳ５において記憶するように制御された絵文字６０を予約文字表示領域５９に表示させる。なお、ステップＳ１１における制御部４５の処理は、図６のステップＳ６の処理と同様である。
【００６２】
ステップＳ１２において、制御部４５は、操作部１１による操作に応じて、カーソルをメール本文５０中の任意の位置に移動させるように制御する。
【００６３】
ステップＳ１３において、制御部４５は、ステップＳ１２においてカーソルが移動した任意の位置で、予約文字入力キー６４に対応する操作部１１の任意のキーの押下を検知する。
【００６４】
ステップＳ１４において、制御部４５は、ステップＳ１２においてカーソルを移動したメール本文５０中の任意の位置に、予約文字表示領域５９に表示された絵文字６０を挿入して表示するように制御し、一連の処理を終了する。
【００６５】
次に、制御部４５により予約文字表示領域５９に表示される絵文字に応じて変換候補の表示順位を変更する制御の手順について図８に示すフローチャートを参照しながら説明する。
【００６６】
ステップＳ２１において、制御部４５は、操作部１１による文字列の入力を受け付け、受け付けた文字列をメール本文５０に表示する。
【００６７】
ステップＳ２２において、制御部４５は、ステップＳ２１において表示された文字列に対応する絵文字の変換候補を表示する変換候補表示領域５２を表示すると共に、この文字列に対応する単語の予測変換候補を変換候補表示領域７０に表示するように制御する。
【００６８】
ステップＳ２３において、制御部４５は、ソフトキー５５の操作に応じて、変換候補表示領域５２に表示される絵文字の変換候補のうち、一の絵文字が選択されたことを検知する。
【００６９】
ステップＳ２４において、制御部４５は、ステップＳ２３において選択された絵文字を予約文字表示領域５９に表示する。
【００７０】
ステップＳ２５において、制御部４５は、予約文字表示領域５９に表示された絵文字に対応する変換候補の変換候補表示領域７０での表示順位を変更するように制御し、一連の処理を終了する。
【００７１】
以上、好適な実施形態について説明したが、本発明は上述した実施形態に限定されることなく種々の形態で実施することができる。例えば、本実施形態において、携帯電子機器として携帯電話機１について説明しているが、これに限定されず、ＰＨＳ（登録商標；Ｐｅｒｓｏｎａｌ  Ｈａｎｄｙ  ｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔ）、ポータブルナビゲーション装置、ノートパソコン等であってもよい。
【００７２】
また、上述した実施形態では、ＬＣＤ表示部２１に表示される文字入力画面における制御部４５の制御動作について電子メール作成画面を用いて説明したが、本発明の携帯電話機１の制御動作は、これに限らず、テキスト情報を入力する機能であれば、適用可能である。
【００７３】
また、上述した実施形態では、特殊記号の一例として絵文字と顔文字を用いて説明したが、これに限らず、特殊記号として、画像や記号等を用いてもよい。
【図面の簡単な説明】
【００７４】
【図１】本発明に係る携帯電子機器の一例である携帯電話機１の外観斜視図である。
【図２】本発明に係る携帯電話機１の機能を示す機能ブロック図である。
【図３】本実施形態の携帯電話機１のＬＣＤ表示部２１に表示されるメール作成画面の一例を示す図である。
【図４】本実施形態の携帯電話機１のＬＣＤ表示部２１に表示されるメール作成画面の一例を示す図である。
【図５】本実施形態の携帯電話機１のＬＣＤ表示部２１に表示されるメール作成画面の一例を示す図である。
【図６】制御部４５により予約文字表示領域５９へ絵文字を表示する制御の手順について示すフローチャートである。
【図７】制御部４５により予約文字表示領域５９に表示された絵文字をメール本文５０中に挿入する制御の手順について示すフローチャートである。
【図８】制御部４５により予約文字表示領域５９に表示される絵文字に応じて変換候補の表示順位を変更する制御の手順について示すフローチャートである。
【符号の説明】
【００７５】
１  携帯電話機
１１  操作部（入力部）
２１  ＬＣＤ表示部（表示部）
４４  メモリ（記憶部）
４５  制御部
５２  変換候補表示領域（第１表示領域）
５４  絵文字
５７  選択キー
５９  予約文字表示領域（第２表示領域）
６０  絵文字
【図１】
2010079782.tif 000003
【図２】
2010079782.tif 000004
【図３】
2010079782.tif 000005
【図４】
2010079782.tif 000006
【図５】
2010079782.tif 000007
【図６】
2010079782.tif 000008
【図７】
2010079782.tif 000009
【図８】
2010079782.tif 000010